(57)【特許請求の範囲】
【請求項１】
不織布や薄厚状の発泡ウレタン樹脂等の根絡シ−ト（３３）を所定幅で前後に長い水耕槽内に敷設し、その上に種籾を厚蒔きして育苗した水稲苗をロ−ラ（３４）に苗葉茎が内側に巻き込まれるよう渦巻き状に巻き取ったロングマット苗（３２）を苗載置台（２１）上に載せて巻き戻しながら、この苗載置台（２１）上の苗が苗植付装置（２８）に供給されて移植される田植装置において、渦巻き状のロングマット苗（３２）を装填するアーム（３６）と、ロングマット苗（３２）を載置する前記苗載置台（２１）の左右方向の仕切枠（２１ａ）と、ロ−ラ（３４）の支軸に回転自在に取り付けられた円盤形状の仕切体（４３ａ）とを設け、該仕切体（４３ａ）を各苗載置台（２１）に搭載されたロングマット苗（３２）の左右端縁部に沿う位置で且つ仕切枠（２１ａ）の上部に配置し、仕切枠（２１ａ）に仕切体（４３ａ）が沈み込むスリット（４４）を設けると共に、前記アーム（３６）の支点と反対側に該アーム（３６）と一体のレバー（４４ａ）を設け、該レバー（４４ａ）は、錘（４５）を脱着可能な構成とするか又は支点からの長さが伸縮できる構成とする田植装置。
【発明の詳細な説明】
【０００１】
【発明の属する技術分野】
この発明は、不織布や薄厚状の発泡ウレタン樹脂等の根絡シ−トを所定幅で前後に長い水耕槽内に敷設し、その上に種籾を厚蒔きして育苗した水稲苗をロ−ラに苗葉茎が内側に巻き込まれるよう渦巻き状に巻き取ったロングマット状苗を田植機の苗載置台上に載せて巻き戻しながら当該苗載置台に苗が補給されて、水稲苗移植装置で移植するロングマット苗使用の田植装置に関する。
【０００２】
【従来技術と発明が解決しようとする課題】
従来、特開平８−３３１９４２号に開示されたロングマット苗使用の田植装置があった。この従来技術は、ロングマット苗を渦巻き状にロ−ラに巻き田植装置の苗載置台上に軸装させて巻き戻しながら苗移植具側に供給して植付けるものであった。然るに、この種の技術では１回のロングマット苗の装填で相当の面積を移植できると謂う特徴がありながら、左右に並ぶ苗載置台にマット苗を渦巻状に巻き付けたロ−ラを各苗載置台の仕切枠上部に取り付けたブラケットを介して軸支させた各ロングマット苗の左右横縁部にはみ出す苗根部分が絡まり、円滑な繰出しが困難であった。
【０００３】
【課題を解決するための手段】
この発明は、前述の課題を解消するために次の技術的な手段を講じた。
即ち、不織布や薄厚状の発泡ウレタン樹脂等の根絡シ−ト（３３）を所定幅で前後に長い水耕槽内に敷設し、その上に種籾を厚蒔きして育苗した水稲苗をロ−ラ（３４）に苗葉茎が内側に巻き込まれるよう渦巻き状に巻き取ったロングマット苗（３２）を苗載置台（２１）上に載せて巻き戻しながら、この苗載置台（２１）上の苗が苗植付装置（２８）に供給されて移植される田植装置において、渦巻き状のロングマット苗（３２）を装填するアーム（３６）と、ロングマット苗（３２）を載置する前記苗載置台（２１）の左右方向の仕切枠（２１ａ）と、ロ−ラ（３４）の支軸に回転自在に取り付けられた円盤形状の仕切体（４３ａ）とを設け、該仕切体（４３ａ）を各苗載置台（２１）に搭載されたロングマット苗（３２）の左右端縁部に沿う位置で且つ仕切枠（２１ａ）の上部に配置し、仕切枠（２１ａ）に仕切体（４３ａ）が沈み込むスリット（４４）を設けると共に、前記アーム（３６）の支点と反対側に該アーム（３６）と一体のレバー（４４ａ）を設け、該レバー（４４ａ）は、錘（４５）を脱着可能な構成とするか又は支点からの長さが伸縮できる構成とする田植装置とした。
【０００４】
【実施例】
この発明の一実施例について詳細に説明する。
１は乗用型の田植機の走行車体であって、操舵可能で駆動型の左右一対の前輪２，２と左右一対の駆動型の後輪３，３を有した機枠４にエンジン５を前後中間位置に搭載し、このエンジン５の前側で機枠４の前端側に操縦機枠６を設け、この操縦機枠６の上部に操舵用前輪２，２を操縦する操縦ハンドル７を設け、機枠４の上面に左右前後に拡張した搭乗フロア８を張設し、前記エンジン５は、このフロア８から膨出するエンジンカバ−９で覆い、このエンジンカバ−９の上側に操縦座席１０を設けている。１１は後輪カバ−を示す。１２はフロントミッションケ−ス、１３はリヤ−伝動ケ−スである。
【０００５】
１４は支柱で、前記機枠４の後端側に立設されている。
１５は昇降リンク機構で、上リンク杆１６ａと下リンク杆１６ｂの基部側を前記支柱１４にブラケットを介して横方向の軸で回動自在に枢結し、この上下リンク杆の後端側を縦リンク杆１６ｃで枢結させ、この縦リンク杆１６ｃに作業機を取り付けるヒッチ体１７を取り付けている。そして、前記下リンク杆１６ｂを前記機枠４側に基部側を枢着した油圧シリンダ−装置１８のピストン１８ｂに連繋させてピストン１８ｂの出入り作動により昇降リンク機構１５を作動する構成とする。１８ａは油圧シリンダ−装置１８のシリンダ−本体側を示す。
【０００６】
１９は田植装置で、フレ−ムが伝動ケ−スで共用されており、その植付伝動ケ−ス２０は、前端側の左右中央部ケ−ス２０ａから左右横方向に突出する横軸ケ−ス２０ｂを介して後方側に複数分岐して伸びる縦伝動ケ−ス２０ｃからなり、この植付伝動ケ−ス２０の上側に、苗載置台２１が左右に仕切枠２１ａで仕切られて複数個配置されている。そして、この苗載置台２１は前部が上位になるよう前後に傾斜し、各苗載置台の底部を切欠いで苗搬送広幅ベルト２２を設け、更に、この苗載置台２１は前記植付伝動ケ−ス２０側から支持枠２３ａ，２３ｂを介して左右移動自在に支持されている。そして前記苗載置台２１は前記左右中央部ケ−ス２０ａ内の左右横移動機構で左右に移動されケ−ス外に一部突出する移動軸２４に連繋されて左右に往復横移動されるよう構成されている。また、前記ベルト２２は左右横端に移動した時点で駆動されるよう伝動ケ−ス２０ａ内の回転機構で作動される回転ア−ム２５で作動される構造になっている。
【０００７】
２６は苗受止枠で、側面視がＬ字状型になっており、前記苗載置台２１の後側下端部に対抗させて植付伝動ケ−ス２０側に固着され、左右方向に長く延び、この苗受止枠２６には所定間隔に苗分割口２７が切欠き形成されている。
２８は苗植付装置で、前記縦伝動ケ−ス２０ｃの後方側面部に回転ケ−ス２９を設け、この回転ケ−ス２９に苗分離植付爪３０ａを有する植付具３０を首振り回動されるよう取付け、この回転ケ−ス２９の回転を受けて植付具３０が作動し植付爪３０ａが前記苗受止枠２６の苗分割口２７に介入して苗を分割保持し下方の水田圃場面に植付けるよう構成されている。
【０００８】
３１は整地フロ−トで、前記縦伝動ケ−ス２０ｃの下側に前側が上下動可能に取付けられ、センタフロ−ト３１ａとサイドフロ−ト３１ｂ，３１ｂからなる。この各フロ−トで苗植付圃場面が整地され、その部分に苗が植え付けられる。
３２はロングマット苗をロ−ラに渦巻状にしたもので、不織布や薄厚状の発泡ウレタン樹脂等の根絡シ−ト３３を所定幅で前後に長い水耕槽内に敷設し、その上に種籾を厚蒔きして育苗した水稲苗をロ−ラ３４に苗葉茎が内側に巻き込まれるよう渦巻き状に巻き取って運搬等を容易にし、これを田植機の苗載置台２１上に装填して使用する。具体的な実施例では、左右に仕切りされて区画状の前記各苗載置台２１の左右枠（仕切り枠を含む）にブラケットを介してハンドル３５付きの回動ア−ム３６に前記ロ−ラ３４の左右側に突出ならしめた支軸３７を回動自在に支持する嵌合孔３８を設け、この孔３８に該支軸３７を挿通させて苗載置台２１上に渦巻状にしたロングマット苗３２を支架ならしめている。
【０００９】
尚、このロングマット苗３２の外周下端側を苗載置台２１の移送ベルト２２の上面側に接近させて苗載置台２１が左右横端の折り返し時点になると繰り出されるように構成するが、そのロングマット苗３２の外周下端側を苗載置台２１に接近状態で保持する構成として、バネ３９で上方へ付勢した受部材４０を苗載置台２１の側枠部分に支持杆４１を介して構成している。４２は載置される苗３２の葉茎部分を押圧さるロ−ラを示す。尚、前記回動ア−ム３６は第１図の仮想線で示す通り後方側には自由に回動できて、苗３２の交換が容易にできるようになっている。
【００１０】
４３は仕切体で、前記苗載置台２１の左右中間部に位置する仕切枠２１ａの前後中間部であって、ロングマット苗３２を渦巻状に巻き取ったロ−ラ３４が支持されている部分に立設されるよう構成され、支持された相隣合うロングマット苗３２，３２・・を互いに仕切るよう設けられている。即ち、この仕切体４３で各苗載置台２１に搭載されるロングマット苗３２のロ−ラ巻き取り状態で支持された相隣合する部分を仕切り、ロングマット苗３２の左右端縁にはみ出す苗根が互いに絡まらないように構成している。
【００１１】
他の実施例として第５図で示した通り、仕切体４３を円盤形状となし、前記ロ−ラ３４の支軸３７にこの円盤状の仕切体４３ａを回転自在に設け、この円盤で相隣合するロングマット苗３２を仕切った構成とする。尚、この円盤を支軸３７に固着してロ−ラ３４と共に回転させる構成であっても差し支えない。この仕切体４３ａの場合には、苗載置台２１の仕切枠２１ａに該円盤が沈み込むスリット４４が必要であり、このスリット４４に仕切体４３ａが嵌合する構造となる。
【００１２】
ロ−ラ３４に渦巻状に巻き取られたロングマット苗３２をア−ム３６に回転自在に支持せた状態で苗載置台２１に装填し、このロングマット苗３２の下部側が移送ベルト２２の上面に載置させて苗植付装置２８に補給する。このとき、仕切枠２１ａに仕切体４３が立設されているから相隣合するロングマット苗３２の左右側端縁が互いに干渉、接触することなく装填された状態を保持する。
【００１３】
この状態で、走行車体１を推進させながら田植装置１９の各部を駆動すると、苗載置台２１が左右に往復横移動し、ロングマット苗３２が移送ベルト２２で受けられて左右横端に至ると後方側に該ベルト２２が回転しロングマット苗３２の後端部を苗受止枠２６で受止め、苗分割口２７へ繰り出す。即ち、左右側に苗載置台２１が移動するから苗分割口２７にはロングマット苗３２が横方向から繰り出される。
【００１４】
この苗分割口２７へ繰り出されたロングマット苗３２を苗植付装置２８の植付爪３０ａが分割保持して下部側の整地フロ−ト３１で整地された水田圃場に次々と植付ける。このような苗植付け作業中において、苗載置台２１に搭載されているロングマット苗３２は仕切体４３で相隣合部を仕切っているから巻き戻されて苗植付装置２８へ供給される場合に、隣合うロングマット苗３２の干渉がなく各ロングマット苗３２はそれぞれ移送ベルトで確実に巻き戻されて供給されることになる。
【００１５】
尚、仕切体３２ａのように円盤形状にして回転自在に構成した場合にはロングマット苗３２が巻き戻される場合に抵抗がなくスム−ズに巻き戻されて植付装置２８へ供給される。
尚、ロングマット苗３２を苗載置台２１上面に接当させて繰り出す場合には、その接当圧力が適正でない場合に円滑な繰出補給が困難である。これを解消する手段として、ア−ム３６の支点（イ）と反対側に該ア−ム３６に一体状のレバ−４４ａを設け、このレバ−４４ａに錘４５を選択、脱着可能にし、バランスを保つよう構成すればよい。このことにより、ロングマット苗３２の成育状態や吸水状態に対して簡単に対応させることができる。尚、錘４５の選択、脱着をしないで支点（イ）からのレバ−４４ａの長さを変更調節してもよいこと勿論であり、この場合にはレバ−４４ａの長さを伸縮させたり錘４５を取り付ける軸を前後に変更すればよい。
【００１６】
【発明の作用効果】
この発明によれば、ロングマット苗が各苗載置台にロ−ラを介して巻き戻し状態に載置されて苗植付装置へ供給される場合、スリットに仕切体が嵌合し、各苗載置台に載置されるロングマット苗の左右横端縁にはみでる苗根が仕切体で干渉、接触することなく保持されて抵抗がなくスムーズに巻き戻されるから、ロングマット苗が巻き戻し時に弛んだり、逆に緊張して伸びたりせず確実に苗供給ができて、苗植付本数のバラツキを少なくすることができる。また、アームの支点と反対側に該アームと一体のレバーを設け、該レバーは、錘を脱着可能な構成とするか又は支点からの長さが伸縮できる構成とするから、バランスを保つことができ、ロングマット苗の成育状態や吸水状態に簡単に対応させることができる。
【図面の簡単な説明】
【図１】側面図
【図２】平面図
【図３】要部の側面図
【図４】要部の平面図
【図５】要部の平面図
【図６】要部の側面図
【符号の説明】
２１：苗載置台、２１ａ：仕切枠、２８：苗植付装置、３２：ロングマット苗、３３：根絡シ−ト、３４：ロ−ラ、３６：アーム、４３ａ：仕切体、４４：スリット、４４ａ：レバー、４５：錘
【図１】
0004010031.tif 000002
【図２】
0004010031.tif 000003
【図３】
0004010031.tif 000004
【図４】
0004010031.tif 000005
【図５】
0004010031.tif 000006
【図６】
0004010031.tif 000007